(57)【要約】【課題】検索装置において複数のキーワードを検索する際に、各キーワード間の相関関係を認識可能な検索結果を表示する。【解決手段】検索装置(10)の制御手段(12)は、複数の文書の各々において複数のキーワードを検出し、検出されたキーワード相互間の位置関係を検出し、この位置関係に応じて複数の文書の表示順序を決定し、この表示順序に従って複数の文書を表示手段(13)に表示させる。【選択図】図１
2016009233.tif 000002
【特許請求の範囲】
【請求項１】
複数の文書に含まれる複数のキーワードを検索する検索装置であって、
制御手段と、前記制御手段に情報を入力する入力手段と、前記制御手段が実行した作業の結果を表示する表示手段と、からなり、
前記制御手段は、
前記複数の文書の各々において前記複数のキーワードを検出し、
検出されたキーワード相互間の位置関係を検出し、
前記位置関係に応じて前記複数の文書の表示順序を決定し、
決定された前記表示順序に従って前記複数の文書を前記表示手段に表示させるものである検索装置。
【請求項２】
前記制御手段は、前記複数のキーワードの各キーワード間の文字数の総和を算出し、当該文字数の総和に応じて前記複数の文書の表示順序を決定することを特徴とする請求項１に記載の検索装置。
【請求項３】
前記制御手段は、前記複数のキーワードの各キーワードの検索ヒット数を文書毎に表示することを特徴とする請求項１または２に記載の検索装置。
【請求項４】
前記制御手段は、各キーワードが出現している範囲を文書毎に表示することを特徴とする請求項１乃至３の何れか一項に記載の検索装置。
【請求項５】
前記制御手段は、前記複数のキーワードを縦軸及び横軸の何れか一方に、前記複数の文書を前記表示順序に従って縦軸及び横軸の他方に、マトリクス状に表示するものであることを特徴とする請求項１乃至４の何れか一項に記載の検索装置。
【請求項６】
複数の文書に含まれる複数のキーワードを検索する検索方法であって、
前記複数の文書の各々において前記複数のキーワードを検出する第一の過程と、
検出されたキーワード相互間の位置関係を検出する第二の過程と、
前記位置関係に応じて前記複数の文書の表示順序を決定する第三の過程と、
前記表示順序に従って前記複数の文書を表示する第四の過程と、
を備える検索方法。
【請求項７】
前記第二の過程においては、前記複数のキーワードの各キーワード間の文字数の総和を算出し、
前記第三の過程においては、当該文字数の総和に応じて前記複数の文書の表示順序を決定することを特徴とする請求項６に記載の検索方法。
【請求項８】
前記第四の過程においては、前記複数のキーワードの各キーワードの検索ヒット数を文書毎に表示することを特徴とする請求項６または７に記載の検索方法。
【請求項９】
前記第四の過程においては、各キーワードが出現している範囲を文書毎に表示することを特徴とする請求項６乃至８の何れか一項に記載の検索方法。
【請求項１０】
前記複数のキーワードを縦軸及び横軸の何れか一方に、前記複数の文書を前記表示順序に従って縦軸及び横軸の他方に、マトリクス状に表示することを特徴とする請求項６乃至１０の何れか一項に記載の検索方法。
【請求項１１】
複数の文書に含まれる複数のキーワードを検索する検索方法をコンピュータに実行させるためのプログラムであって、
前記プログラムが前記コンピュータに実行させる処理は、
前記複数の文書の各々において前記複数のキーワードを検出する第一の処理と、
検出されたキーワード相互間の位置関係を検出する第二の処理と、
前記位置関係に応じて前記複数の文書の表示順序を決定する第三の処理と、
前記表示順序に従って前記複数の文書を表示する第四の処理と、
を備えるプログラム。
【請求項１２】
前記第二の処理においては、前記複数のキーワードの各キーワード間の文字数の総和を算出し、
前記第三の処理においては、当該文字数の総和に応じて前記複数の文書の表示順序を決定することを特徴とする請求項１１に記載のプログラム。
【請求項１３】
前記第四の処理においては、前記複数のキーワードの各キーワードの検索ヒット数を文書毎に表示することを特徴とする請求項１１または１２に記載のプログラム。
【請求項１４】
前記第四の処理においては、各キーワードが出現している範囲を文書毎に表示することを特徴とする請求項１１乃至１３の何れか一項に記載のプログラム。
【請求項１５】
前記複数のキーワードを縦軸及び横軸の何れか一方に、前記複数の文書を前記表示順序に従って縦軸及び横軸の他方に、マトリクス状に表示することを特徴とする請求項１１乃至１４の何れか一項に記載のプログラム。
【発明の詳細な説明】
【技術分野】
【０００１】
本発明は、複数の文書を対象として当該複数の文書に含まれる複数のキーワードを検索する検索装置及び検索方法並びに同方法をコンピュータに実行させるためのプログラムに関する。
【背景技術】
【０００２】
このような検索装置の一例として特開２００９−１６９９２６号公報に記載されたものがある。
【０００３】
図８は同公報に記載された検索装置１のブロック図である。
【０００４】
検索装置１は公開特許公報を対象として指定されたキーワードを検索する。
【０００５】
検索装置１は、検索制御部１００と、情報入力部１１０と、ネットワークインターフェイス１２０と、表示部１３０と、辞書情報データベース１４０と、から構成されている。
【０００６】
検索制御部１００は、指定条件情報取得部１０１と、指定条件情報解析部１０２と、文献情報抽出部１０３と、抽出結果処理部１０４と、からなる。
【０００７】
文献情報抽出部１０３及び抽出結果処理部１０４には文献情報データベース２００が接続されている。
【０００８】
検索条件は情報入力部１１０を介して指定条件情報取得部１０１に入力される。指定条件情報解析部１０２は、必要に応じて辞書情報データベース１４０を参照して検索条件を解析し、文献を抽出する際の条件となる抽出条件を生成する。文献情報抽出部１０３は指定条件情報解析部１０２が生成した抽出条件に基づいて文献情報データベース２００から文献を抽出し、抽出結果を抽出結果処理部１０４に送信する。抽出結果は抽出結果処理部１０４において表示可能なデータに加工された後、表示部１３０において表示される。
【０００９】
図９は表示部１３０に表示される抽出結果を示す。
【００１０】
図９に示すように、抽出結果はマトリクス状に表示される。すなわち、横軸（一番上の欄）には検索条件としてのキーワードが順に表示され、縦軸（一番左側の欄）には検索を行った公報番号が表示される。各キーワードと各公報番号とが交差する欄には、当該公報に含まれる当該キーワードのヒット数が表示される。
【先行技術文献】
【特許文献】
【００１１】
【特許文献１】特開２００９−１６９９２６号公報
【発明の概要】
【発明が解決しようとする課題】
【００１２】
上記の検索装置によれば、各公報に含まれる各キーワードの数を把握することは可能であるが、各キーワードが各公報においてどのような形で含まれているかについては各公報を一つずつチェックすることが必要であった。
【００１３】
例えば、キーワードＡとキーワードＢとを同時に含む文章が多く含まれる公報を探し出す必要がある場合であっても、検索対象である各公報を一つずつチェックし、そのような文章を見つけ出すことが必要であった。
【００１４】
本発明はこのような従来の検索装置における問題点に鑑みてなされたものであり、複数のキーワードを検索する際に、各キーワード間の相関関係を認識することができる検索結果を表示することを可能にする検索装置、検索方法及び同方法をコンピュータに実行させるためのプログラムを提供することを目的とする。
【課題を解決するための手段】
【００１５】
上記の目的を達成するため、本発明は、第一の態様として、複数の文書に含まれる複数のキーワードを検索する検索装置であって、制御手段と、前記制御手段に情報を入力する入力手段と、前記制御手段が実行した作業の結果を表示する表示手段と、からなり、前記制御手段は、前記複数の文書の各々において前記複数のキーワードを検出し、検出されたキーワード相互間の位置関係を検出し、前記位置関係に応じて前記複数の文書の表示順序を決定し、決定された前記表示順序に従って前記複数の文書を前記表示手段に表示させるものである検索装置を提供する。
【００１６】
前記制御手段は、前記複数のキーワードの各キーワード間の文字数の総和を算出し、当該文字数の総和に応じて前記複数の文書の表示順序を決定するものであることが好ましい。
【００１７】
前記制御手段は、前記複数のキーワードの各キーワードの検索ヒット数を文書毎に表示するものであることが好ましい。
【００１８】
前記制御手段は、各キーワードが出現している範囲を文書毎に表示するものであることが好ましい。
【００１９】
前記制御手段は、前記複数のキーワードを縦軸及び横軸の何れか一方に、前記複数の文書を前記表示順序に従って縦軸及び横軸の他方に、マトリクス状に表示するものであることが好ましい。
【００２０】
本発明は、第二の態様として、複数の文書に含まれる複数のキーワードを検索する検索方法であって、前記複数の文書の各々において前記複数のキーワードを検出する第一の過程と、検出されたキーワード相互間の位置関係を検出する第二の過程と、前記位置関係に応じて前記複数の文書の表示順序を決定する第三の過程と、前記表示順序に従って前記複数の文書を表示する第四の過程と、を備える検索方法を提供する。
【００２１】
前記第二の過程においては、前記複数のキーワードの各キーワード間の文字数の総和を算出し、前記第三の過程においては、当該文字数の総和に応じて前記複数の文書の表示順序を決定することが好ましい。
【００２２】
前記第四の過程においては、前記複数のキーワードの各キーワードの検索ヒット数を文書毎に表示することが好ましい。
【００２３】
前記第四の過程においては、各キーワードが出現している範囲を文書毎に表示することが好ましい。
【００２４】
本発明に係る検索方法においては、前記複数のキーワードを縦軸及び横軸の何れか一方に、前記複数の文書を前記表示順序に従って縦軸及び横軸の他方に、マトリクス状に表示することが好ましい。
【００２５】
本発明は、第三の態様として、複数の文書に含まれる複数のキーワードを検索する検索方法をコンピュータに実行させるためのプログラムであって、前記プログラムが前記コンピュータに実行させる処理は、前記複数の文書の各々において前記複数のキーワードを検出する第一の処理と、検出されたキーワード相互間の位置関係を検出する第二の処理と、前記位置関係に応じて前記複数の文書の表示順序を決定する第三の処理と、前記表示順序に従って前記複数の文書を表示する第四の処理と、を備えるプログラムを提供する。
【００２６】
前記第二の処理においては、前記複数のキーワードの各キーワード間の文字数の総和を算出し、前記第三の処理においては、当該文字数の総和に応じて前記複数の文書の表示順序を決定することが好ましい。
【００２７】
前記第四の処理においては、前記複数のキーワードの各キーワードの検索ヒット数を文書毎に表示することが好ましい。
【００２８】
前記第四の処理においては、各キーワードが出現している範囲を文書毎に表示することが好ましい。
【００２９】
本発明に係るプログラムにおいては、前記複数のキーワードを縦軸及び横軸の何れか一方に、前記複数の文書を前記表示順序に従って縦軸及び横軸の他方に、マトリクス状に表示することが好ましい。
【発明の効果】
【００３０】
従来の検索装置は公報毎の各キーワードのヒット数のみを表示するものであったため、例えば、全てのキーワードを含む文章または段落を探し出す必要がある場合には、検索対象である各公報を一つずつチェックし、そのような文章または段落を見つけ出すことが必要であった。
【００３１】
これに対して、本発明に係る検索装置によれば、公開特許公報を検索対象とする場合、各キーワード相互間の位置関係（例えば、各キーワード相互間の近接の度合い）に応じて公報の表示順序が決定されているため、例えば、全てのキーワードを含む文章を探し出す場合には、最上位に表示されている公報がそのような文章を含んでいる可能性が最も大きいため、その公報を最初にチェックすることにより、全てのキーワードを含む文章を容易に探し出すことが可能になる。
【００３２】
このように、本発明に係る検索装置によれば、キーワード相互間の位置関係に応じて公報の表示順序が決定されるため、ヒット数しか表示しない従来の検索装置と比較して、所望の公報を探し出す時間を短縮することが可能である。
【図面の簡単な説明】
【００３３】
【図１】本発明の第一の実施形態に係る検索装置のブロック図である。
【図２】キーワードＡ、Ｂ及びＣ間の文字数の検出及び文字数の総和の演算の一例を示す図である。
【図３】本発明の第一の実施形態に係る検索装置において、中央処理装置が決定した表示順序に従って表示される公報１乃至４の表示の一例である。
【図４】本発明の第一の実施形態に係る検索装置が実施する動作を示すフローチャートである。
【図５】本発明の第二の実施形態に係る検索装置において、中央処理装置が決定した表示順序に従って表示される公報１乃至４の表示の一例である。
【図６】本発明の第三の実施形態に係る検索装置において、中央処理装置が決定した表示順序に従って表示される公報１乃至４の表示の一例である。
【図７】本発明の第三の実施形態に係る検索装置において、中央処理装置が決定した表示順序に従って表示される公報１乃至４の表示の他の例である。
【図８】従来の検索装置のブロック図である。
【図９】図８に示した従来の検索装置の表示部に表示される抽出結果を示す図である。
【発明を実施するための最良の形態】
【００３４】
（第一の実施形態）
図１は本発明の第一の実施形態に係る検索装置１０のブロック図である。
【００３５】
図１に示すように、本実施形態に係る検索装置１０は、入力手段１１と、制御手段１２と、表示手段１３と、から構成されている。
【００３６】
検索装置１０は外部記憶装置としての記憶手段１４に接続されている。
【００３７】
入力手段１１は制御手段１２及び記憶手段１４に接続されている。
【００３８】
入力手段１１は、例えば、キーボードやマウスからなる。必要なデータ及び指示は入力手段１１を介して制御手段１２及び記憶手段１４に入力される。
【００３９】
制御手段１２は、中央処理装置（ＣＰＵ）１２Ａと、ＲＯＭからなる第一メモリ１２Ｂと、ＲＡＭからなる第二メモリ１２Ｃと、入力手段１１を介して入力された各種命令及びデータを中央処理装置１２Ａに転送するための入力インターフェイス１２Ｄと、中央処理装置１２Ａにより実行された処理の結果を外部に出力する出力インターフェイス１２Ｅと、中央処理装置１２Ａと第一メモリ１２Ｂ、第二メモリ１２Ｃ、入力インターフェイス１２Ｄ及び出力インターフェイス１２Ｅの各々とを接続するバス１２Ｆと、から構成されている。
【００４０】
第一メモリ１２Ｂは中央処理装置１２Ａが実行する各種の制御用プログラムその他書き換え不能なデータを格納している。
【００４１】
第二メモリ１２Ｃは様々なデータ及びパラメータを記憶しているとともに、中央処理装置１２Ａに対する作動領域を提供する、すなわち、中央処理装置１２Ａが各種の制御用プログラムを実行する上で一時的に必要とされるデータを格納している。
【００４２】
中央処理装置１２Ａは第一メモリ１２Ｂからプログラムを読み出し、そのプログラムを実行する。すなわち、中央処理装置１２Ａは第一メモリ１２Ｂに格納されているプログラムに従って作動する。本実施形態においては、第一メモリ１２Ｂには、検索方法を中央処理装置１２Ａに実行させるためのプログラムが格納されており、中央処理装置１２Ａはこのプログラムに従って、後述するように、検索方法を実行する。
【００４３】
表示手段１３は、例えば、液晶ディスプレイからなり、制御手段１２が行った作業の結果、入力手段１１を介して入力されたデータその他必要なデータを画面に表示する。
【００４４】
記憶手段１４は制御手段１２に対する外部メモリであり、制御手段１２が行った作業の結果その他データを記憶する。
【００４５】
以上のような構成を有する本実施形態に係る検索装置１０は以下のような動作を行う。
【００４６】
図４は検索装置１０が実施する動作を示すフローチャートである。
【００４７】
以下、本実施形態に係る検索装置１０を用いて、４個の公開特許公報（以下、公報１、公報２、公報３及び公報４と呼ぶ）から３個のキーワードＡ、Ｂ及びＣを検索するケースについて説明する。
【００４８】
操作者は入力手段１１を介して４個の公報１乃至４の電子データ及び３個のキーワードＡ、Ｂ及びＣを制御手段１２に入力する（ステップＳ１１０）。４個の公報１乃至４の電子データ及び３個のキーワードＡ、Ｂ及びＣは記憶手段１４にも送られ、記憶手段１４に記憶される。
【００４９】
次いで、制御手段１２の中央処理装置１２Ａは４個の公報１乃至４の各々の電子データを参照して公報１乃至４の各々に含まれるキーワードＡ、Ｂ及びＣを検出する（ステップＳ１２０）。
【００５０】
次いで、中央処理装置１２Ａは、検出されたキーワードＡ、Ｂ及びＣ相互間の位置関係を公報毎に判定する。具体的には、中央処理装置１２Ａは公報毎にキーワードＡ、Ｂ及びＣ間の文字数を検出し（ステップＳ１３０）、その文字数の総和を算出する（ステップＳ１４０）。
【００５１】
図２は、キーワードＡ、Ｂ及びＣ間の文字数の検出及び文字数の総和の演算の一例を示す。
【００５２】
例えば、公報１においては、３個のキーワードがＡ、Ｂ、Ｃの順に検出され、キーワードＡとキーワードＢとの間の文字数が６、キーワードＢとキーワードＣとの間の文字数が４であったとすると、各キーワード間の文字数の総和は
６＋４＝１０
となる。
【００５３】
同様に、公報２においては、３個のキーワードがＢ、Ａ、Ｃの順に検出され、キーワードＢとキーワードＡとの間の文字数が２、キーワードＡとキーワードＣとの間の文字数が４であったとすると、各キーワード間の文字数の総和は
２＋４＝６
となる。
【００５４】
同様に、公報３においては、３個のキーワードがＡ、Ｃ、Ｂの順に検出され、キーワードＡとキーワードＣとの間の文字数が９、キーワードＣとキーワードＢとの間の文字数が６であったとすると、各キーワード間の文字数の総和は
９＋６＝１５
となる。
【００５５】
同様に、公報４においては、３個のキーワードがＢ、Ｃ、Ａの順に検出され、キーワードＢとキーワードＣとの間の文字数が８、キーワードＣとキーワードＡとの間の文字数が１２であったとすると、各キーワード間の文字数の総和は
８＋１２＝２０
となる。
【００５６】
公報１乃至４の各々について各キーワード間の文字数の総和を算出した後、中央処理装置１２Ａは文字数の総和に従って公報１乃至４の表示順序を決定し（ステップＳ１５０）、この表示順序に従って各公報１乃至４の公報番号を表示手段１３に表示する（ステップＳ１６０）。
【００５７】
具体的には、中央処理装置１２Ａは文字数の総和の少ない順番に各公報を表示する。言い換えれば、文字数の総和の少ない公報ほど上位に表示される。
【００５８】
図３は、中央処理装置１２Ａが決定した表示順序に従って表示される公報１乃至４の表示の一例である。
【００５９】
図３に示すように、文字数の総和が最も少なかった公報２が最上位に表示され、公報２に次いで文字数の総和が少なかった公報１が公報２の次に表示される。以下、同様に、公報３、公報４の順番に表示される。
【００６０】
以上のように動作する本実施形態に係る検索装置１０によれば、以下の効果を得ることができる。
【００６１】
従来の検索装置は公報毎の各キーワードのヒット数のみを表示するものであるため、例えば、全てのキーワードを含む文章または段落を探し出す必要がある場合には、検索対象である各公報を一つずつチェックし、そのような文章または段落を見つけ出すことが必要であった。
【００６２】
これに対して、本実施形態に係る検索装置１０によれば、各キーワード間の近接の度合いに応じて公報の表示順序が決定されているため、例えば、全てのキーワードを含む文章または段落を探し出す場合には、最上位に表示されている公報がそのような文章または段落を含んでいる可能性が最も大きいため、その公報を最初にチェックすることにより、全てのキーワードを含む文章または段落を探し出すことが容易になる。
【００６３】
このように、本実施形態に係る検索装置１０によれば、キーワード相互間の位置関係に応じて公報の表示順序が決定されるため、ヒット数しか表示しない従来の検索装置と比較して、所望の公報を探し出す時間を短縮することが可能である。
【００６４】
本実施形態に係る検索装置１０は上記の構造に限定されるものではなく、種々の改変を施すことが可能である。
【００６５】
本実施形態に係る検索装置１０においては、３個のキーワードＡ、Ｂ及びＣの出現順序は考慮せずに、各キーワード間の文字数をカウントする。例えば、公報１においては、ＡＢＣの順に３個のキーワードＡ、Ｂ及びＣが出現し、公報２においては、ＢＡＣの順に３個のキーワードＡ、Ｂ及びＣが出現しているが、キーワードの出現順序にかかわらず、各キーワード間の文字数がカウントされる。
【００６６】
これに対して、３個のキーワードＡ、Ｂ及びＣの出現順序を指定することも可能である。例えば、３個のキーワードＡ、Ｂ及びＣがＡＢＣの順に出現するケースのみを検索することも可能である。
【００６７】
また、各公報において３個のキーワードＡ、Ｂ及びＣが出現する回数は１とは限らない。３個のキーワードＡ、Ｂ及びＣが複数回出現することがあり得るが、その場合、３個のキーワードＡ、Ｂ及びＣの各キーワード相互間の文字数の総和が常に一致するとは限らない。
【００６８】
図２に示した例においては、公報１における各キーワード相互間の文字数の総和は１０であるが、例えば、公報１において３個のキーワードＡ、Ｂ及びＣが出現する回数が５回であり、それぞれにおける各キーワード間の文字数の総和が１０、１５、１７、２１、３９である場合を想定する。このような場合には、５個の文字数の総和のうち、最小値（１０）または最大値（３９）を選択することも可能であり、あるいは、５個の文字数の総和の平均値（２０または２１）を選択することも可能である。
【００６９】
さらに、本実施形態に係る検索装置１０においては、４個の公開特許公報を対象として３個のキーワードを検索する例を示したが、公開特許公報の数及びキーワードの数は任意に指定することが可能である。
【００７０】
また、本実施形態に係る検索装置１０は、公開特許公報のみならず、電子データ化されているものであれば、他の同様の文書を検索対象とすることも可能である。
【００７１】
なお、各公報において３個のキーワードＡ、Ｂ及びＣが全て検出されないことがあり得る。例えば、３個のキーワードＡ、Ｂ及びＣのうち、Ａ及びＢのみ、Ａ及びＣのみ、または、Ｂ及びＣのみが検出されることがある。このような場合には、３個のキーワードＡ、Ｂ及びＣが全て検出された公報を上位に表示し、２個のキーワードが検出された公報を下位に表示する。さらに、２個のキーワードが検出された公報間において、文字数の総和に応じて表示順序を決定する。
【００７２】
指定されたキーワードをハイライト表示することも可能である。すなわち、３個のキーワードＡ、Ｂ及びＣの何れか一つまたは二つ以上を指定した場合、指定された１個以上の公報において、指定されたキーワードは他の文字とは異なる色で表示される。また、２個以上のキーワードを指定した場合には、各公報において各キーワードを相互に異なる色で表示することも可能である。
【００７３】
キーワードとしては、技術用語の他に、分類記号、出願人名、発明者名など任意の語を指定することが可能である。
【００７４】
（第二の実施形態）
図５は、本発明の第二の実施形態に係る検索装置において、中央処理装置１２Ａが決定した表示順序に従って表示される公報１乃至４の表示の一例である（第一の実施形態における図３に対応する）。
【００７５】
本実施形態に係る検索装置においては、公報毎に３個のキーワードＡ、Ｂ及びＣのヒット数を表示する。例えば、公報２において、３個のキーワードＡ、Ｂ及びＣのヒット数がそれぞれ１１、７、５である場合には、（１１、７、５）と表示される。
【００７６】
このように、キーワード相互間の位置関係に応じて決定された表示順序に従って表示される公報とともに、各キーワードのヒット数をも表示することにより、各公報に対する評価をより容易に行うことができる。
【００７７】
（第三の実施形態）
図６は、本発明の第三の実施形態に係る検索装置において、中央処理装置１２Ａが決定した表示順序に従って表示される公報１乃至４の表示の一例である（第一の実施形態における図３に対応する）。
【００７８】
本実施形態に係る検索装置においては、各公報１乃至４は各キーワードとともにマトリクス状に表示される。具体的には、各キーワードは横軸（一番上の欄）に、公報番号は縦軸（一番左の欄）に表示される。
【００７９】
各公報１乃至４の公報番号と各キーワードとが交差する欄には、各公報１乃至４における各キーワードのヒット数が表示される。
【００８０】
このように各キーワードと各公報の公報番号とをマトリクス状に表示することにより、各公報に対する評価を目視で把握することができるため、そのつど公報を開いて記載内容を確認する必要がなく、各公報に対する評価を行う時間を短縮化することができる。
【００８１】
なお、３個のキーワードＡ、Ｂ及びＣは入力順に表示されるが、各キーワードを指定された順番に表示することも可能である。
【００８２】
図７は、本実施形態に係る検索装置において、中央処理装置１２Ａが決定した表示順序に従って表示される公報１乃至４の表示の他の例である。
【００８３】
図６に示した表示例と比較して、図７に示す表示例においては、ステイタス欄が追加されている。このステイタス欄には以下の４個のステイタスの何れかが表示される。
【００８４】
Ｓ：全てのキーワードが一つのセンテンス内に出現している
Ｐ：全てのキーワードが一つの段落内に出現している（Ｓに該当する場合を除く）
Ｌ：全てのキーワードが２００文字以内に出現している（Ｓ及びＰに該当する場合を除く）
Ｘ：上記Ｓ，Ｐ，Ｌの何れにも該当しない
【００８５】
このように、ステイタス欄を設けることにより、各キーワードについての各公報に対する評価をより容易に行うことができる。
【００８６】
なお、必要に応じて、上記の４個のステイタス以外のステイタスを追加することも可能である。
【００８７】
さらに、ステイタスＬにおける文字数は２００に限定されるものではなく、任意の文字数を指定することが可能である。
【００８８】
また、複数の公報に対して検索を行う範囲を予め選定しておくことも可能である。例えば、公報に含まれる複数の項目のうち、「請求項」のみを指定すれば、「請求項」の記載の範囲内において、検索が実行される。あるいは、「請求項」と「実施形態」を指定すれば、請求項」及び「実施形態」の記載の範囲内において、検索が実行される。このように、予め検索を行う範囲を指定することにより、調査目的（例えば、権利範囲の抵触の有無の調査）に応じた検索を行うことができ、ノイズ（検索が不要な公報）を減らすことが可能になる。
【００８９】
また、第一乃至第三の実施形態において、キーワードの検索条件として「完全一致」と「中間一致」の二つを選択することができる。
【００９０】
「完全一致」を選択すると、検索対象となる複数の公報から一定の規則に従って抽出された語句のうち、指定されたキーワードと全く同一の語句のみが索出される。例えば、キーワードとして「カートリッジ」を指定すると、対象となる複数の公報から「カートリッジ」の語のみが単体として検索され、「プロセスカートリッジ」、「カートリッジ構造」などの「カートリッジ」の語を含む単語は同一とは見なされず、索出されない。
【００９１】
これに対して、「中間一致」を検索すると、検索対象となる複数の公報から一定の規則に従って抽出された語句のうち、指定されたキーワードを内包する語句がが索出される。例えば、キーワードとして「カートリッジ」を指定すると、対象となる複数の公報から「プロセスカートリッジ」、「カートリッジ構造」、「カートリッジ本体」などの、「カートリッジ」の語を含む単語が検索される。あるいは、キーワードとして「トナー」を指定すると、対象となる複数の公報から「トナー画像」、「トナー粒子」、「直接トナー画像」などの、「トナー」の語を含む単語が検索される。
【００９２】
このように、「中間一致」を選択することによって、指定したキーワードを含む語、すなわち、指定したキーワードに関連する語を全て抽出して表示することができるため、目的の公報を、開くことなく、短時間に見つけることができる。
【符号の説明】
【００９３】
１０  本発明の第一の実施形態に係る検索装置
１１  入力手段
１２  制御手段
１３  表示手段
１４  記憶手段
【図１】
2016009233.tif 000003
【図２】
2016009233.tif 000004
【図３】
2016009233.tif 000005
【図４】
2016009233.tif 000006
【図５】
2016009233.tif 000007
【図６】
2016009233.tif 000008
【図７】
2016009233.tif 000009
【図８】
2016009233.tif 000010
【図９】
2016009233.tif 000011